【手続補正書】
【提出日】平成28年11月25日(2016.11.25)
【手続補正１】
【補正対象書類名】特許請求の範囲
【補正対象項目名】全文
【補正方法】変更
【補正の内容】
【特許請求の範囲】
【請求項１】
ワイヤレスネットワーク内で通信する方法であって、
ワイヤレスメッセージのフレーム制御フィールドに対するプロトコルバージョンフィールドの値を決定するステップと、
前記フレーム制御フィールドを生成するステップであって、前記フレーム制御フィールドは、前記プロトコルバージョンフィールドの値を有するプロトコルバージョンフィールドと、前記プロトコルバージョンフィールドの値に基づく長さを有するタイプフィールドとを備えるように生成されるステップと、
前記ワイヤレスメッセージを生成するステップであって、前記ワイヤレスメッセージはメディアアクセス制御ヘッダを備え、前記メディアアクセス制御ヘッダは前記フレーム制御フィールドを備えるステップと、
ワイヤレスフレームを送信するステップと
を含む方法。
【請求項２】
サブタイプフィールドをさらに備えるように前記フレーム制御フィールドを生成するステップをさらに含み、前記サブタイプフィールドの長さは、前記タイプフィールドの前記長さに基づく、請求項1に記載の方法。
【請求項３】
前記プロトコルバージョンフィールドの値が第1の値に等しい場合、前記タイプフィールドの前記長さが前記サブタイプフィールドの前記長さ以上であることを決定するステップと、前記プロトコルバージョンフィールドの値が第2の値に等しい場合、前記タイプフィールドの前記長さが前記サブタイプフィールドの前記長さよりも短いことを決定するステップとをさらに含む、請求項2に記載の方法。
【請求項４】
第1の値を有するように前記タイプフィールドを生成し、第2の値を有するようにサブタイプフィールドを生成するステップをさらに含み、前記タイプフィールドの前記値および前記サブタイプフィールドの前記値は、前記ワイヤレスフレームがプローブ応答フレームであることを示す、請求項1に記載の方法。
【請求項５】
第1の値を有するように前記タイプフィールドを生成し、第2の値を有するようにサブタイプフィールドを生成するステップをさらに含み、前記タイプフィールドの前記値および前記サブタイプフィールドの前記値は、前記ワイヤレスフレームがリソース割振りフレームであることを示す、請求項1に記載の方法。
【請求項６】
グループ表示フィールドを備えるように前記リソース割振りフレームの前記フレーム制御フィールドを生成するステップをさらに含む、請求項5に記載の方法。
【請求項７】
前記メディアアクセス制御ヘッダは、ブロック肯定応答ターゲットウェイクタイムメディアアクセス制御ヘッダとして生成され、前記方法は、32個までのMSDUおよびA-MSDUに対する受信状態を個別に示す前記メディアアクセス制御ヘッダを生成するステップをさらに含む、請求項1に記載の方法。
【請求項８】
開始シーケンス制御フィールドを含むように前記メディアアクセス制御ヘッダを生成するステップをさらに含み、前記開始シーケンス制御フィールドは、ブロック肯定応答ターゲットウェイクタイム(BAT TID)のための開始シーケンス番号フィールドおよびトラフィック識別子を備える、請求項1に記載の方法。
【請求項９】
前記フレーム制御フィールドは、前記ワイヤレスフレームがブロック肯定応答ターゲットウェイクタイムフレームであることを示し、前記開始シーケンス番号フィールドは、長さが12ビットである、請求項8に記載の方法。
【請求項１０】
前記フレーム制御フィールドは、前記メディアアクセス制御ヘッダが、ネクストターゲットウェイクタイムまでの継続時間を示すのか、それとも部分的タイムスタンプを示すのかを示す、請求項1に記載の方法。
【請求項１１】
前記メディアアクセス制御ヘッダが、ネクストターゲットウェイクタイムまでの継続時間を示すのかそれとも部分的タイムスタンプを示すのかにかかわらず、前記メディアアクセス制御ヘッダの長さが同じである、請求項10に記載の方法。
【請求項１２】
ワイヤレスネットワーク内で通信するための装置であって、
ワイヤレスメッセージのフレーム制御フィールドに対するプロトコルバージョンフィールドの値を決定し、
前記プロトコルバージョンフィールドの値を有するプロトコルバージョンフィールドと、前記プロトコルバージョンフィールドの値に基づく長さを有するタイプフィールドとを備えるように生成される前記フレーム制御フィールドを生成し、
前記フレーム制御フィールドを備えるメディアアクセス制御ヘッダを備える前記ワイヤレスメッセージを生成し、
ワイヤレスフレームを送信する
ように構成される処理システムを備える装置。
【請求項１３】
前記処理システムは、サブタイプフィールドをさらに備えるように前記フレーム制御フィールドを生成するようにさらに構成され、前記サブタイプフィールドの長さは、前記タイプフィールドの前記長さに基づく、請求項12に記載の装置。
【請求項１４】
前記処理システムは、前記プロトコルバージョンフィールドの値が第1の値に等しい場合、前記タイプフィールドの前記長さが前記サブタイプフィールドの前記長さ以上であることを決定し、前記プロトコルバージョンフィールドの値が第2の値に等しい場合、前記タイプフィールドの前記長さが前記サブタイプフィールドの前記長さよりも短いことを決定するように、さらに構成される、請求項13に記載の装置。
【請求項１５】
前記処理システムは、第1の値を有するように前記タイプフィールドを生成し、第2の値を有するようにサブタイプフィールドを生成するようにさらに構成され、前記タイプフィールドの前記値および前記サブタイプフィールドの前記値は、前記ワイヤレスフレームがプローブ応答フレームであることを示す、請求項12に記載の装置。
【請求項１６】
前記処理システムは、第1の値を有するように前記タイプフィールドを生成し、第2の値を有するようにサブタイプフィールドを生成するようにさらに構成され、前記タイプフィールドの前記値および前記サブタイプフィールドの前記値は、前記ワイヤレスフレームがリソース割振りフレームであることを示す、請求項12に記載の装置。
【請求項１７】
前記処理システムは、グループ表示フィールドを備えるように前記リソース割振りフレームの前記フレーム制御フィールドを生成するようにさらに構成される、請求項16に記載の装置。
【請求項１８】
ワイヤレスネットワーク内で通信する方法であって、
ワイヤレス通信フレームを受信するステップと、
前記ワイヤレス通信フレームを復号してメディアアクセス制御ヘッダを識別するステップと、
前記メディアアクセス制御ヘッダを復号してフレーム制御フィールドを識別するステップと、
前記フレーム制御フィールドを復号してプロトコルバージョンフィールドの値を決定するステップと、
前記プロトコルバージョンフィールドの前記値に基づいて、前記フレーム制御フィールド内のタイプフィールドの長さを決定するステップと、
前記長さに基づいて前記タイプフィールドの値を決定するステップと、
前記タイプフィールドの値に基づいて前記ワイヤレス通信フレームを処理するステップと
を含む方法。
【請求項１９】
前記フレーム制御フィールドを復号して、前記タイプフィールドの前記長さに基づいて、サブタイプフィールドの長さをさらに
決定するステップと、
前記サブタイプフィールドの前記長さに基づいて、前記サブタイプフィールドの値を決定するステップと
をさらに含む、請求項18に記載の方法。
【請求項２０】
前記プロトコルバージョンフィールドの値が第1の値に等しい場合、前記タイプフィールドの前記長さが前記サブタイプフィールドの前記長さ以上であることを決定するステップと、前記プロトコルバージョンフィールドの値が第2の値に等しい場合、前記タイプフィールドの前記長さが前記サブタイプフィールドの前記長さよりも短いことを決定するステップとをさらに含む、請求項19に記載の方法。
【請求項２１】
前記タイプフィールドが第1の値を有するとともに、前記サブタイプフィールドが第2の値を有することを決定するステップと、
前記決定に基づいて、前記ワイヤレス通信フレームをプローブ応答フレームとして復号するステップと
をさらに含む、請求項19に記載の方法。
【請求項２２】
前記タイプフィールドが第3の値を有するとともに、前記サブタイプフィールドが第4の値を有することを決定するステップと、
前記決定に基づいて、ワイヤレスフレームをリソース割振りフレームとして復号するステップと
をさらに含む、請求項19に記載の方法。
【請求項２３】
前記ワイヤレスフレームがリソース割振りフレームであることに基づいて、前記フレーム制御フィールド内のグループ表示フィールドを復号するステップをさらに含む、請求項22に記載の方法。